(57)【要約】【課題】外観が損なわれることがなく、筆記を簡単に繰り返し行うことのできるウォールキャビネットを提供すること。【解決手段】内部に収納部８を有し、一端が開放された収納箱体４を備え、この収納箱体の開放された一端に、収納箱体の外側に向かって回動可能である開閉自在な扉１４が設けられ、部屋２の内壁面３への取付けが可能とされ、扉を閉めたときに収納箱体の一端の直近に配置される扉の裏面３１に、筆記具による筆記とその消去が繰り返し可能とされた筆記面３２が形成されている。【選択図】図１
2012125519.tif 000002
【特許請求の範囲】
【請求項１】
内部に収納部を有し、一端が開放された収納箱体を備え、この収納箱体の開放された一端に、収納箱体の外側に向かって回動可能である開閉自在な扉が設けられ、部屋の内壁面への取付けが可能とされたウォールキャビネットにおいて、
前記扉を閉めたときに前記収納箱体の一端の直近に配置される扉の裏面に、筆記具による筆記とその消去が繰り返し可能とされた筆記面が形成されている
ことを特徴とするウォールキャビネット。
【発明の詳細な説明】
【技術分野】
【０００１】
本発明は、洗面室などの内壁面に取り付けられ、備品などを収納するウォールキャビネットに関する。
【背景技術】
【０００２】
ウォールキャビネットは、たとえば、キッチン、洗面室などの内壁面の天井際や、厨房装置、洗面化粧台などの各種機器の上方の所定位置に取り付けられ、そこで使用される備品などを収納箱体の内部に収納可能にしている。備品などは、人の手の届く高さ程度に収納され、使用したいときにその場で取り出すことができ、ウォールキャビネットは、諸作業の利便性を向上させている。
【０００３】
このようなウォールキャビネットに関して、下記特許文献１には、吊戸棚本体と、この吊戸棚本体の前面開口を閉塞する扉機能を有するホワイトボードなどの黒板と、この黒板の下部にそのほぼ全幅にわたって付設した受け台付取手とを備えた吊戸棚が記載されている。
【０００４】
特許文献１に記載された吊戸棚では、扉を伝言板として使用することができる。
【先行技術文献】
【特許文献】
【０００５】
【特許文献１】実開昭５９−０７５１４９号公報
【発明の概要】
【発明が解決しようとする課題】
【０００６】
一方、特許文献１に記載された吊戸棚では、扉の表面が黒板の筆記面であるため、黒板が露出することにより吊戸棚としての外観が損なわれるという問題が指摘される。また、キッチンや洗面室などでは、水仕事の際に扉の表面に水などがかかることがしばしばあり、黒板の筆記面が濡れて筆記しにくくなったり、書いた文字や絵などが不意に消えてしまったりするなどの問題も指摘される。
【０００７】
本発明は、以上のとおりの事情に鑑みてなされたものであり、外観が損なわれることがなく、筆記を簡単に繰り返し行うことのできるウォールキャビネットを提供することを課題としている。
【課題を解決するための手段】
【０００８】
上記の課題を解決するために、本発明のウォールキャビネットは、内部に収納部を有し、一端が開放された収納箱体を備え、この収納箱体の開放された一端に、収納箱体の外側に向かって回動可能である開閉自在な扉が設けられ、部屋の内壁面への取付けが可能とされたウォールキャビネットにおいて、扉を閉めたときに収納箱体の一端の直近に配置される扉の裏面に、筆記具による筆記とその消去が繰り返し可能とされた筆記面が形成されていることを特徴としている。
【発明の効果】
【０００９】
本発明のウォールキャビネットによれば、外観が損なわれることがなく、筆記を簡単に繰り返し行うことができる。
【図面の簡単な説明】
【００１０】
【図１】本発明のウォールキャビネットの一実施形態を示した正面図である。
【図２】（ａ）（ｂ）は、それぞれ、図１に示したウォールキャビネットの扉の分解斜視図、断面図である。
【図３】図１に示したウォールキャビネットの扉を閉めた状態を示した斜視図である。
【発明を実施するための形態】
【００１１】
図１は、本発明のウォールキャビネットの一実施形態を示した正面図である。図２（ａ）（ｂ）は、それぞれ、図１に示したウォールキャビネットの扉の分解斜視図、断面図である。図３は、図１に示したウォールキャビネットの扉を閉めた状態を示した斜視図である。
【００１２】
ウォールキャビネット１は、洗面室２の内壁面３に取り付けられている。ウォールキャビネット１は、中空で矩形状の収納箱体４を備えている。収納箱体４は、同サイズで矩形板状の天板５と底板６が所定の間隔で対向して配置され、同じく矩形板状の側板７が、天板５と底板６の左右の端縁部の各一つに設けられて形成されている。そして、収納箱体４は、その内部に、洗面室２の備品などを収納する収納部８を有している。収納部８は、矩形板状の棚板９によって上下二段に区画されている。上段収納部８ａには、各種のサイズのタオル１０が収納され、サイズ毎に仕分けされて棚板９の上に積み重ねられている。下段収納部８ｂには、洗剤などを詰めたボトル１１、スプレーボトル１２および紙箱１３が収納され、底板６の上に載せられている。
【００１３】
収納箱体４への棚板９の取付方法には特に制限はなく、側板７の内側面にダボ孔やねじ孔などを形成し、これらの孔にダボを嵌入、螺合などとして棚板９をその下端部から支持する方法などを例示することができる。
【００１４】
このような収納箱体４は、その一端、すなわち、洗面室２の内壁面３に取り付けられた状態における前端が開放され、この前端に、同サイズで矩形板状の２枚の扉１４が、蝶番１５によって取り付けられている。したがって、各扉１４は、収納箱体４の前端において収納箱体４の外側に向かって回動可能であり、開き戸のように前後に開閉自在となっている。２枚の扉１４の内、左側の扉１４ａは、左側に回動させることによって開き、右側に回動させることによって閉まる。逆に、右側の扉１４ｂは、右側に回動させることによって開き、左側に回動させることによって閉まる。
【００１５】
２枚の扉１４では、扉１４を閉めたときに収納箱体４の前端の直近に配置される裏面３１に、油性ペンなどの筆記具による筆記とその消去が繰り返し可能とされた筆記面３２が形成されている。筆記面３２は、具体的には、図２（ａ）（ｂ）に示したように、いわゆるホワイトボード３３の表面３３ａである筆記面３４とされている。
【００１６】
扉１４では、その四周端縁部３５の内側に、ホワイトボード３３の外形である矩形形状に一致する平面視矩形形状を有し、かつホワイトボード３３の厚さに一致する深さの凹部３６が、扉１４の裏面３１から表面３７側に向かって形成されている。ホワイトボード３３は、凹部３６の内部に装填され、接着剤、粘着テープなどを介して扉１４に固定され、筆記面３４が、扉１４の裏面３１と同一平面上に配置されて筆記面３２を形成している。
【００１７】
このようなウォールキャビネット１では、図１に示したように、２枚の扉１４のいずれか一方または両方を開けたとき、その裏面３１に形成された筆記面３２が現れる。現れた筆記面３２には、油性ペンなどの筆記具を用いてメモや伝言などのために文字や絵を筆記することができ、また、筆記は、フェルトなどを有する消去具を用いて拭き取り、消去することができる。
【００１８】
一方、扉１４を閉めると、その裏面３１に形成された筆記面３２は、収納箱体４の前端の直近に配置され、図３に示したように、扉１４の表面３７のみが現れ、扉１４の表面３７は、通常の扉と同様の化粧面などとされている。筆記面３２は外部に露出しない。このため、ウォールキャビネット１では、筆記とその消去および筆記の確認を行わないときには、扉１４を閉めることにより、筆記面３２をウォールキャビネット１の内側に隠蔽することができる。扉１４が閉まっている状態では、化粧の施された表面３７が現れるので、ウォールキャビネット１は、筆記面３２が形成されていることにより外観が損なわれることはほとんどない。
【００１９】
また、ウォールキャビネット１は、洗面室２の内壁面３に取り付けられているが、水仕事の際に跳ね上がる水などが筆記面３２にかかり、筆記面３２を濡らすことはほとんどない。したがって、水濡れにともなう筆記のしにくさや筆記の不意の消去などの問題もほぼ解消される。メモや伝言などを行いたい場合には、扉１４を開けるだけで筆記面３２が現れるので、簡単に筆記することができ、消去も簡単に行うことができる。筆記具による筆記とその消去は簡単に繰り返し行うことができる。また、メモや伝言などを残しておきたい場合には、筆記したままの状態で単に扉１４を閉めるだけでよく、その後の確認も容易である。
【００２０】
また、ウォールキャビネット１では、２枚の扉１４は、図３に示したように、その長さＬが収納箱体４の高さｈより長く、収納箱体４の底面、すなわち、収納箱体４を形成する底板６の底面６ａより下側に突出している。
【００２１】
そして、ウォールキャビネット１は、各種機器としての洗濯機１６の上方に配置されている。具体的には、ウォールキャビネット１は、図１に示したように、洗面室２の内壁面３に設置された各種器具としての電気コンセント１７および水栓金具１８の上方付近に取り付けられている。電気コンセント１７は、洗濯機１６に電源を供給し、アースをするための配線器具であり、また、水栓金具１８は、洗濯機１６に水道水を供給するための給水器具である。これらの電気コンセント１７および水栓金具１８は、法令の定めなどにより、洗面室２の床面から所定の高さで内壁面３に設置されている。
【００２２】
洗濯機１６に備え付けの電気コード１９は、その先端に設けられた電気プラグ２０を電気コンセント１７に差し込むことにより接続されている。同じく、ホース２１は、アダプタ２２を介して水栓金具１８に接続されている。
【００２３】
ウォールキャビネット１の２枚の扉１４は、閉めたとき、電気コンセント１７および水栓金具１８をその前方から覆い隠すことができるように、その長さＬは、上記のとおり、収納箱体４の高さｈより長く、収納箱体４の底板６の底面６ａから長さｌだけ長くなっている。すなわち、
Ｌ ＝ ｈ ＋ ｌ
の関係となっている。
【００２４】
なお、収納箱体４の底板６の底面６ａからの長さｌは、電気コンセント１７または水栓金具１８のいずれかの下端の内、最も底面６ａから離れている下端より２〜３cm程度下側ぐらいを目安とすることができる。洗濯機１６の上面に至るまで長くはしない。このように、ウォールキャビネット１に設けられた２枚の扉１４は、洗面室２において収納箱体４の底面、言い換えれば、底板６の底面６ａ、より下側の内壁面３に設置された各種器具、すなわち、電気コンセント１７および水栓金具１８をその前方から覆い隠せる程度の長さを有している。
【００２５】
したがって、ウォールキャビネット１では、２枚の扉１４は、収納箱体４の下側の内壁面３への電気コンセント１７や水栓金具１８などの各種器具の設置に制約を与えることがなく、また、それら器具や器具に接続される電気コード１９よびホース２１と扉１４は干渉もしない。扉１４を閉めたときには、器具を隠蔽し、器具との接続部における電気コード１９およびホース２１も部分的に隠蔽することができ、器具周辺の見栄えを向上させることができる。
【００２６】
また、２枚の扉１４は、上記のとおりの長さＬを有しているので、その下端部に手をかけて開けることができ、図１および図３に示したように、扉１４には、開閉操作のために取っ手を必ずしも必要としない。取っ手は、ウォールキャビネット１の設置高さを考慮して扉１４の下端部に適宜設けることができる。
【００２７】
また、長さＬを有する２枚の扉１４の筆記面３２は十分な広さとなり、文字や絵などの大きさに余り制約を与えることはなく、筆記者は、ある程度余裕を持って筆記面３２に筆記することができる。
【００２８】
本発明のウォールキャビネットは、以上の実施形態によって限定されるものではない。筆記面３２を扉１４の裏面３１の全面に形成したり、扉１４の長さＬを収納箱体４の高さｈと略同じにしたりすることなどを含め、扉および扉の裏面に形成される筆記面の詳細やその形成方法などについては各種の態様が考えられる。筆記具の詳細についても同様である。
【符号の説明】
【００２９】
１  ウォールキャビネット
２  部屋としての洗面室
３  内壁面
４  収納箱体
８  収納部
１４  扉
３１  裏面
３２  筆記面
【図１】
2012125519.tif 000003
【図２】
2012125519.tif 000004
【図３】
2012125519.tif 000005